(57)【要約】【課題】  地域に関係する番組情報を簡単な操作で一覧表示する。【解決手段】  デジタルテレビ放送を受信し（Ｓ１０１）、受信データを解析して、データ内容に応じて分離し（Ｓ１０２）、受信データ記憶部２３に記憶し、映像信号及び音声信号としてディスプレイに出力する（Ｓ１０３）。地図の表示範囲を設定し（Ｓ１０４）、ＳＩ情報から地名を抽出し処理結果記憶部に記憶する（Ｓ１０５）。地名から地図上の位置情報を求める。画面上に地図と、地図に入る地名を含む番組情報を表示する（Ｓ１０６）。番組情報リストから希望の番組を選択する（Ｓ１０８）。選択された番組の開始時間が現在時刻以前であれば（Ｓ１０９）、その」番組を選択して表示し（Ｓ１１０）、そうでなければ、その番組の録画を予約する（Ｓ１１１）。【選択図】  図３
2005130084.tif 000002
【特許請求の範囲】
【請求項１】
番組情報を地理的位置に対応付けて記憶する番組情報記憶手段と、
地図を表示する地図表示手段と、
視聴者の操作によって地図の範囲を指定する指定手段と、
前記指定手段により指定された地図の範囲内の位置に対応付けて、前記番組情報記憶手段に記憶されている前記番組情報を表示する番組表示手段と、
前記番組表示手段により表示される番組情報のうち１つを選択する番組選択手段と、
前記番組選択手段で選択された番組情報に対応する番組の選局及び選局予約の何れかを行う手段
とを具備することを特徴とするデジタルテレビ受信装置。
【請求項２】
前記番組情報は、放送データに多重化して送られる番組配列情報（Ｓｅｒｖｉｃｅ  Ｉｎｆｏｒｍａｔｉｏｎ）であることを特徴とする請求項１のデジタルテレビ受信装置。
【請求項３】
更に、
地名または地名に準ずる文字列（以下、総称して地名と呼ぶ）と地理的位置との対応を記憶するデータを参照する参照手段と、
前記番組情報に含まれる文字列から前記地名に該当する文字列を抽出し、当該文字列に対応する地理的位置を前記番組情報に対応する地理的位置として推定する推定手段
とを具備することを特徴とする請求項１に記載のデジタルテレビ受信装置。
【請求項４】
前記推定手段は、番組情報に含まれる１つの文字列に対して同名の複数の位置が対応づけられた場合に、それぞれの位置と前記番組情報に含まれる他の文字列に対応付けられた位置との関連の高さを求め、関連の高い位置を前記番組情報に対応付ける手段を具備することを特徴とする請求項３に記載のデジタルテレビ受信装置。
【請求項５】
更に、地理的位置を特定する情報を含んだ番組情報を取得する手段を具備することを特徴とする請求項１に記載のデジタルテレビ受信装置。
【請求項６】
前記地図表示手段は、表示する番組情報または番組情報を特定する符号を、前記地図上における当該番組情報に対応付けられた地理的位置の近傍に表示することを特徴とする請求項１に記載のデジタルテレビ受信装置。
【発明の詳細な説明】
【技術分野】
【０００１】
本発明は、映像、音声及び文字又は文字に準ずるコードデータが多重化して送られるデジタルテレビ放送を受信するデジタルテレビ受信装置に関する。
【背景技術】
【０００２】
デジタルテレビ放送では、電子番組ガイドＥＰＧ（Ｅｌｅｃｔｒｏｎｉｃ  Ｐｒｏｇｒａｍ  Ｇｕｉｄｅ）が利用可能である。図５は、デジタルテレビ放送の電子番組ガイドＥＰＧの画面の例である。デジタルテレビ放送では、図４に示すようなＳＩ（Ｓｅｒｖｉｃｅ  Ｉｎｆｏｒｍａｔｉｏｎ）情報が伝送され、受信機は、これを受信及び解析し、図５に示すような画面を表示する。
【０００３】
従来のデジタルテレビ受信装置には、利用者がリモコンで文字列を入力することで、その文字列を含むＳＩ情報を検索し、そのＳＩ情報に対応する番組を検索し、選局又は選局予約することができるものもある。
【発明の開示】
【発明が解決しようとする課題】
【０００４】
従来のデジタルテレビ放送におけるキーワード検索では、名称が一致する必要がある。視聴者が検索キーワードとして指定した地名の範囲内に属する地名がＳＩ情報に含まれていても、発見できなかった。
【０００５】
例えば、図５に示す例で、「レジャー情報▽江ノ島▽茅ヶ崎▽大磯」、「サッカー  湘南×横浜〜平塚競技場」、「神奈川県の歴史―藤沢の巻」及び「東海道を歩こう▽大磯▽小田原▽箱根」という４つの番組情報がＳＩ情報に含まれているとする。このとき、「江ノ島」、「茅ヶ崎」、「大磯」、「平塚」及び「藤沢」は、「湘南」の範囲内に属する地名である。
【０００６】
このＥＰＧに対し、従来、「湘南」という単語をキーワードに検索を実行した場合、「サッカー  湘南×横浜〜平塚競技場」という番組を発見できるが、他の３つの番組を発見できない。
【０００７】
複数の地名を入力して、論理和で検索を行なえば、より多くの地名に対応できる。しかし、「江ノ島」のような市町村名以外の地名も含めると、「湘南」に属する地名は無数にあり、すべてを漏れなく指定することは、事実上、無理である。
【０００８】
また、例えば、自宅から１００ｋｍ以内の地域に関する番組を検索したいというように、特定の地名を持たない範囲を指定したい場合もある。従来のキーワード検索では、このような要望に対応できなかった。
【０００９】
本発明は、視聴者が興味のある地域に関する番組情報を簡単な操作で一覧表示することができるデジタルテレビ受信装置を実現することを目的とする。
【課題を解決するための手段】
【００１０】
本発明に係るデジタルテレビ受信装置は、番組情報を地理的位置に対応付けて記憶する番組情報記憶手段と、地図を表示する地図表示手段と、視聴者の操作によって地図の範囲を指定する指定手段と、前記指定手段により指定された地図の範囲内の位置に対応付けて、前記番組情報記憶手段に記憶されている前記番組情報を表示する番組表示手段と、前記番組表示手段により表示される番組情報のうち１つを選択する番組選択手段と、前記番組選択手段で選択された番組情報に対応する番組の選局及び選局予約の何れかを行う手段とを具備することを特徴とする。
【発明の効果】
【００１１】
本発明によれば、視聴者が興味のある地域に関する番組情報を簡単な操作で一覧表示することができる。また、地名によって固定された範囲に制約されず自由な範囲指定を行なうことができる。
【発明を実施するための最良の形態】
【００１２】
以下、図面を参照して、本発明の実施例を詳細に説明する。
【実施例１】
【００１３】
図１は、本発明の第１実施例のハードウェアブロック図を示す。受信機ユニット１は、データの入出力、処理、記憶及び通信などを行なうユニットであり、各種アンテナ、ＣＡＴＶ端子、ディスプレイ、プリンタ及びインターネット回線などが接続可能である。視聴者がリモコン３によってチャンネルを選択すると、アンテナ及びＣＡＴＶ端子等から入力された信号から、チューナ２が、選択されたチャンネルの受信データを抽出する。
【００１４】
デジタルテレビにおける１つのチャンネルの受信データでは、動画像データ、音声データ及びその他のコードデータが多重化されている。分離装置（ＤＥＭＵＸ）４は、これらのデータを分離し、それぞれをメモリ８に記憶する。ＣＰＵ５は、メモリ８の各データに対して復号及びその他の処理を行ない、ディスプレイＩ／Ｆ６を介してディスプレイへ映像及び音声を出力する。
【００１５】
メモリ８に記憶されたデータは、さらに、ＨＤＤ９及びリムーバルメディア１０（ビデオテープ、ビデオディスクなど）等に記録され、又は、モデム１１を介してインターネットのサーバに転送される。
【００１６】
図２は、本実施例の機能ブロック図を示す。図３は、本実施例の動作フローチャートを示す。図２及び図３を参照して、本実施例の動作を詳細に説明する。
【００１７】
ステップＳ１０１において、放送受信部２１は、デジタルテレビ放送を受信し、選局部３４によって選局されたチャンネルにチューニングし、受信データを得る。
【００１８】
ステップＳ１０２において、受信データ解析部２２は、受信データを解析し、動画データ、音声データ、マルチメディア文書データ、ＳＩ情報データ及びその他のデータに分離する。
【００１９】
ステップＳ１０３において、上述の各データを受信データ記憶部２３に記憶する。まずメモリ８に記憶され、さらに録画モードであれば、二次記憶装置であるＨＤＤ９、リムーバルメディア１０、又は、モデム１１を介して接続するインターネットのサーバなどへ転送される。二次記憶装置へは、受信データ解析部２２によって分離されたデータを記憶する場合と、分離する前のデータを記憶する場合とがあるが、本実施例では、どちらでも構わない。また、メモリ８に記憶された各データは、ただちに動画・音声復号部２４及び文字図形描画部２５によって処理され、映像信号及び音声信号としてディスプレイへ出力される。
【００２０】
以上は、従来のデジタルテレビの動作であり、本実施例のデジタルテレビではさらに以下の動作が加わる。
【００２１】
ステップＳ１０４において、まず地図の表示範囲を設定する。地図を表示したときの最終表示範囲を引き続き表示する方法、または、予め設定されている自宅の位置などに応じたデフォルトの範囲を表示する方法のいずれでもよい。
【００２２】
ステップＳ１０５において、地名抽出部２７は、ＳＩ情報から地名又は地名に準ずる文字列（以下、総称して「地名」と呼ぶ）を抽出し、処理結果記憶部３０に記憶する。ここで、地名に準ずる文字列とは、電話番号及び郵便番号など、地理的な地点又は範囲を特定可能な文字列である。図４に示すＳＩ情報の例では、「江ノ島」、「茅ヶ崎」、「０４５−１２３−４５６７」、「大磯」、「小田原」及び「箱根」が地名である。
【００２３】
位置対応部２９は、地名から地図上の位置情報を求める。地名辞書部２８には、図７に示すように、自治体の名称とコードが階層構造で記憶されている。具体的には、図８のメモリマップで示すように、緯度、経度、郵便番号及び市外局番などの情報も記憶されている。ＳＩ情報の地名、電話番号及び郵便番号などとマッチする文字列を地名辞書部２８から検索し、緯度及び経度を求めることによって、地図上の位置を求めることができる。「湘南」及び「江ノ島」などの自治体名でない地名、並びに、「武蔵」及び「江戸」などの歴史的な地名も、図７及び図８に準じて、地名辞書部２８のデータに含めてもよい。地名辞書部２８のデータは、必ずしも受信機内にある必要がなく、ネットワークで受信機に接続されたデータベースを用いてもよい。
【００２４】
地図上の位置情報は、面積をもたない地点である場合と、面積をもつ範囲である場合とがある。地点である場合、役場、駅及び主要交差点などのように、地域を代表する地点の座標で表わす。範囲の場合、東端、西端、南端及び北端の座標によって矩形の範囲を表わす方法と、任意の形状の範囲の境界線をベクトルデータとして表わす方法とがある。これらの位置情報は、抽出された地名とともに処理結果記憶部３０に記憶される。
【００２５】
地名の場合、同名の複数の地名が存在するという問題がある。しかし、同一番組のＳＩ情報に含まれる他の地名との関連性の大きさによって、絞り込むことができる。例えば、「泉区」は神奈川県横浜市と宮城県仙台市に存在するが、同一番組のＳＩ情報に神奈川県又は横浜市に関する情報が含まれていれば、横浜市の泉区と判定でき、宮城県又は仙台市に関する情報が含まれていれば、仙台市の泉区と判定できる。処理結果記憶部３０は、判定結果に応じた位置情報を記憶する。
【００２６】
判定を誤ると、仙台市泉区に関する番組の情報が横浜市の地図に表示されてしまうこともあり得る。しかし、所望の番組ができるだけ漏れなく表示されることが重要であるので、判断がしにくい場合、仙台市と横浜市の両方の地図に載せても構わない。
【００２７】
ＳＩ情報を地名辞書部２８のすべてのデータとマッチングさせると処理量が大きいので、設定された地図の表示範囲に含まれるデータのみとマッチングさせるようにしてもよい。現在、設定されている表示範囲を含むやや広い範囲に含まれるデータのみとマッチングさせるようにしておけば、後にその範囲内で表示範囲が変更されても、再マッチング処理をする必要がなくなり、表示範囲変更操作後のレスポンスが速くなる。
【００２８】
ステップＳ１０６において、地図出力部３２は、図６に示すように画面上に地図を表示する。地図を構成する道路、鉄道及び施設などのデータは、予めメモリ８、ＨＤＤ９及び／又はリムーバルメディア１０に記憶されているか、または、モデム１１を介してインターネットのサーバから供給される。
【００２９】
さらに、地名検索部３３は、処理結果記憶部３０に記憶されている全番組の地名の中から、地名に対応して記憶されている位置情報に応じて、表示されている地図の範囲に存在する地名を検索し、それに関する情報を画面上に表示する。地名に対応する地図上の位置が面積をもたない地点として記憶されている場合、表示されている地図の範囲に存在する地点の地名を検索する。地名に対応する地図上の位置が面積をもつ範囲として記憶されている場合、表示されている地図の範囲と一部でも重なる範囲の地名を検索する。
【００３０】
図６の画面例では、４つの番組から「江ノ島」、「茅ヶ崎」、「大磯」、「平塚」及び「藤沢」の５つの地名が検索され、画面の右側に番組のリストが表示されている。また、各地名の地図上の位置データに基づき、その位置にアイコンが表示されている。
【００３１】
ここで、選択されたリスト又はアイコンに対応するＳＩ情報に記述された番組開始時間と現在時刻との比較に応じて、表示の色及び／又は形状を区別してもよい。例えば、番組開始時刻が現在時刻以前のときには赤で表示し、そうでなければ青で表示することにより、赤で表示されている番組は、現在、放送中であることがわかる。さらに、例えば、放送開始時刻が近づいている番組を黄色で表示するなど、より多くのパターンに場合分けした表示方法も考えられる。
【００３２】
また、放送中の番組の場合、リスト又はアイコンの位置に実際に受信した番組の映像を静止画又は動画としてはめ込んでもよい。
【００３３】
図６において、リストは詳しい情報を表示するために役立ち、アイコンは地図上の位置をわかりやすくするために役立つので、リストとアイコンの両方を表示するのが望ましい。画面レイアウトの都合によってはどちらかを省略しても構わない。
【００３４】
地名の表わす地域の境界線をベクトルデータとして記憶しておき、地域の範囲を色分けして表示してもよい。
【００３５】
ステップＳ１０７において、地図操作部３１は、リモコンの矢印キーなどの操作によって、地図をスクロール、拡大縮小、回転及び変形させて、所望の範囲を表示させることができる。このような操作があれば、ステップＳ１０５へ戻り、新たな表示範囲に対応する地名を抽出する。このような操作がなければ、ステップＳ１０８へ進む。
【００３６】
ステップＳ１０８において、リモコン操作により、番組のリスト又はアイコンが選択される。図６の画面例では、「レジャー情報▽江ノ島▽茅ヶ崎▽大磯」が選択されているが、リモコンの矢印キーなどによって、選択を切り替えることができる。
【００３７】
ステップＳ１０９において、選択されたリスト又はアイコンに対応するＳＩ情報に記述された番組開始時間と現在時刻とを比較し、番組開始時刻が現在時刻以前であれば、ステップＳ１１０に進み、ＳＩ情報に対応するチャンネル番号を選局部３４に指定する。これにより、ただちにチャンネルが切り替わり、その番組を視聴できる。ステップＳ１０９において番組開始時刻が現在時刻以前でなければ、ステップＳ１１１に進み、ＳＩ情報に対応するチャンネル番号、番組開始時刻及び番組終了時刻を選局部予約部３５に指定する。即ち、番組開始時刻になるとチャンネルが切り替わるように予約する。
【００３８】
本実施例では、地図によって範囲を指定することによって、数多くの地名をいちいち指定しなくても、その範囲内の地名を含むＳＩ情報を抽出できるという効果がある。
【００３９】
さらに本実施例によれば、地名によって固定された範囲の制約によらず、自由な範囲を指定できるという効果がある。
【実施例２】
【００４０】
本発明は、ＳＩ情報に代わって、放送またはインターネットによって地理的位置に予め対応付けられた番組情報が供給される場合にも、適用可能である。そのような実施例を説明する。勿論、ＳＩ情報の規格が、地理的位置に予め対応付けられた番組情報が供給されるように拡張されることも考えられ、この実施例は、そのようなケースにも適用がある。
【００４１】
地理的位置は、面積をもたない地点である場合と、面積をもつ範囲である場合とがある。地理的位置を表わすデータとして、例えば、緯度及び経度情報、自治体コードまたは郵便番号などがある。これらのデータは、テキスト、ＸＭＬなどのマークアップ言語、又はその他の特定のデータ構造で表現され得る。受信機は、番組情報提供者との間で規定されたプロトコルに則ってデータを解釈し、地理的な地点又は範囲を特定する。
【００４２】
受信機は、視聴者によって指定された範囲の地図を表示し、その範囲内の位置に対応付けられた番組情報に関するアイコン及び／又はリストを表示する。
【００４３】
図６に示す「レジャー情報▽江ノ島▽茅ヶ崎▽大磯」という番組のように、１つの番組において異なる複数の場所に関する情報を扱う場合、１つの番組情報に対して異なる複数の地理的位置を対応付けてもよい。
【００４４】
第１実施例では、番組情報とその地理的位置との対応を受信機が推定するので、誤った対応付けがなされる可能性があるが、第２実施例では、予め番組情報提供者により番組情報と地理的位置とが対応付けられた情報が送られてくるので、誤りのない対応付けがなされるという効果がある。
【実施例３】
【００４５】
図９は、本発明の第３実施例であるデジタルテレビ装置の概略構成ブロック図を示す。ハードウエア構成は、図１に示すのと同じである。図２に示す構成に対し、地図出力部３２が省略されている。図１０は、図９に示す実施例の動作フローチャートを示す。図９及び図１０を参照して、本実施例の動作を詳細に説明する。
【００４６】
ステップＳ２０１において、放送受信部１２１は、デジタルテレビ放送を受信し、選局部１３４によって選局されたチャンネルにチューニングし、受信データを得る。
【００４７】
ステップＳ２０２において、受信データ解析部１２２は、受信データを解析し、動画データ、音声データ、マルチメディア文書データ、ＳＩ情報データ及びその他のデータに分離する。
【００４８】
ステップＳ２０３において、上述の各データを受信データ記憶部１２３に記憶する。まずメモリ８に記憶され、さらに録画モードであれば、二次記憶装置であるＨＤＤ９、リムーバルメディア１０、又は、モデム１１を介して接続するインターネットのサーバなどへ転送される。二次記憶装置へは、受信データ解析部１２２によって分離されたデータを記憶する場合と、分離する前のデータを記憶する場合とがあるが、本実施例では、どちらでも構わない。また、メモリ８に記憶された各データは、ただちに動画・音声復号部１２４及び文字図形描画部１２５によって処理され、映像信号及び音声信号としてディスプレイへ出力される。
【００４９】
以上は、従来のデジタルテレビの動作であり、本実施例のデジタルテレビではさらに以下の動作が加わる。
【００５０】
ステップＳ２０４において、まず地名を初期設定する。前回、地名を設定したときの最終地名を引き続き設定する方法、または、予め設定されている自宅の位置などに応じたデフォルトの地名を設定する方法のいずれでもよい。
【００５１】
ステップＳ２０５において、地名抽出部１２７は、ＳＩ情報から地名を抽出し、処理結果記憶部１３０に記憶する。地名は、地名に準ずる文字列を含む。ここで、地名に準ずる文字列とは、電話番号及び郵便番号など、地理的な地点又は範囲を特定可能な文字列である。図４に示すＳＩ情報の例では、「江ノ島」、「茅ヶ崎」、「０４５−１２３−４５６７」、「大磯」、「小田原」及び「箱根」が地名である。
【００５２】
位置対応部１２９は、地名から地図上の位置情報を求める。地名辞書部１２８には、図７に示すように、自治体の名称とコードが階層構造で記憶されている。具体的には、図８のメモリマップで示すように、緯度、経度、郵便番号及び市外局番などの情報も記憶されている。ＳＩ情報の地名、電話番号及び郵便番号などとマッチする文字列を地名辞書部１２８から検索し、緯度及び経度を求めることによって、地図上の位置を求めることができる。「湘南」及び「江ノ島」などの自治体名でない地名、並びに、「武蔵」及び「江戸」などの歴史的な地名も、図７及び図８に準じて、地名辞書部１２８のデータに含めてもよい。地名辞書部１２８のデータは、必ずしも受信機内にある必要がなく、ネットワークで受信機に接続されたデータベースを用いてもよい。
【００５３】
地名の場合、同名の複数の地名が存在するという問題がある。しかし、同一番組のＳＩ情報に含まれる他の地名との関連性の大きさによって、絞り込むことができる。例えば、「泉区」は神奈川県横浜市と宮城県仙台市に存在するが、同一番組のＳＩ情報に神奈川県又は横浜市に関する情報が含まれていれば、横浜市の泉区と判定でき、宮城県又は仙台市に関する情報が含まれていれば、仙台市の泉区と判定できる。
【００５４】
判定を誤ると、仙台市泉区に関する番組の情報が横浜市の地図に表示されてしまうこともあり得る。しかし、所望の番組ができるだけ漏れなく表示されることが重要であるので、判断がしにくい場合、仙台市と横浜市の両方の地図に載せても構わない。
【００５５】
ＳＩ情報を地名辞書部１２８のすべてのデータとマッチングさせると処理量が大きいので、設定された地図の表示範囲に含まれるデータのみとマッチングさせるようにしてもよい。現在、設定されている表示範囲を含むやや広い範囲に含まれるデータのみとマッチングさせるようにしておけば、後にその範囲内で表示範囲が変更されても、再マッチング処理をする必要がなくなり、表示範囲変更操作後のレスポンスが速くなる。
【００５６】
ステップＳ１０６において、地名検索部１３３は、処理結果記憶部１３０に記憶されている全番組の地名の中から、指定された地名の範囲に存在する地名を検索し、検索された地名に関係する情報を画面上に表示する。図１１に示す画面例では、４つの番組から「江ノ島」、「茅ヶ崎」、「大磯」、「平塚」、「藤沢」の５つの地名が検索され、画面の右側に番組のリストが表示されている。
【００５７】
選択されたリストに対応するＳＩ情報に記述された番組開始時間と現在時刻との比較に応じて、表示の色又は形状を区別してもよい。例えば、番組開始時刻が現在時刻以前であれば赤で表示し、そうでなければ青で表示することにより、赤で表示されている番組が、現在、放送中であることがわかる。さらに、例えば、放送開始時刻が近づいている番組を黄色で表示するなど、より多くのパターンに場合分けした表示方法が考えられる。
【００５８】
また、放送中の番組の場合、リスト又はアイコンの位置に実際に受信した番組の映像を静止画又は動画としてはめ込んでもよい。
【００５９】
ステップＳ２０７において、地名指定操作部１３１は、リモコンの矢印キーなどの操作によって、地名を指定する。地名指定方法としては、図１１で示すようにメニューから選択する方法、携帯電話のようにテンキーに仮名を対応させて入力する方法、郵便番号をテンキーで入力する方法、または、図１２に示すようにこれらを併用した方法などがある。地名を指定する操作があると、ステップＳ２０５へ戻り、新たな表示範囲に対応する地名を抽出する。地名を指定する操作がなければ、ステップＳ２０８へ進む。
【００６０】
ステップＳ２０８において、リモコン操作によりリストを選択する。図１１の画面例では、「レジャー情報▽江ノ島▽茅ヶ崎▽大磯」が選択されているが、リモコンの矢印キーなどによって選択を切り替えることができる。
【００６１】
ステップＳ２０９において、選択されたリストに対応するＳＩ情報に記述された番組開始時間と現在時刻とを比較し、番組開始時刻が現在時刻以前であればステップＳ２１０に進み、ＳＩ情報に対応するチャンネル番号を選局部１３４に指定する。これにより、ただちにチャンネルを切り替えて当該番組を視聴できる。ステップＳ２０９において番組開始時刻が現在時刻以前でなければ、ステップＳ２１１に進み、ＳＩ情報に対応するチャンネル番号、番組開始時刻及び番組終了時刻を選局部予約部１３５に指定する。これにより、番組開始時刻になったらチャンネルが切り替わるように予約される。
【００６２】
本実施例では、広範囲の地名を指定することによって範囲を指定することにより、数多くの地名をいちいち指定しなくても、その範囲内の地名を含むＳＩ情報を抽出できるという効果がある。
【実施例４】
【００６３】
第４実施例は、ＳＩ情報を利用せずに、放送又はインターネットによって地理的位置にあらかじめ対応付けられた番組情報が供給される番組情報サービスを想定して、第３実施例を変更したものである。この実施例は、ＳＩ情報の規格が将来拡張され、地理的位置にあらかじめ対応付けられた番組情報が供給されるように、将来、拡張された場合にも適用可能である。
【００６４】
地理的位置は、面積をもたない地点である場合と、面積をもつ範囲である場合とがある。地理的位置を表わすデータとして、例えば、緯度及び経度情報、自治体コードまたは郵便番号などがある。これらのデータは、テキスト、ＸＭＬなどのマークアップ言語、又はその他の特定のデータ構造で表現され得る。受信機は、番組情報提供者との間で規定されたプロトコルに則ってデータを解釈し、地理的な地点又は範囲を特定する。
【００６５】
受信機は、視聴者によって指定された地名の範囲内の位置に対応付けられた番組情報に関するリストを表示する。
【００６６】
図１１に示す「レジャー情報▽江ノ島▽茅ヶ崎▽大磯」という番組のように、１つの番組において異なる複数の場所に関する情報を扱う場合、１つの番組情報に対して異なる複数の地理的位置を対応付けてもよい。
【００６７】
第３実施例では、番組情報とその地理的位置との対応を受信機が推定するので、誤った対応付けがなされる可能性があるが、第４実施例では、予め番組情報提供者により番組情報と地理的位置とが対応付けられた情報が送られてくるので、誤りのない対応付けがなされるという効果がある。
【００６８】
以下、本発明の好ましい実施態様を列挙する。
【００６９】
（実施態様１）  番組情報を地理的位置に対応付けて記憶する番組情報記憶手段と、地図を表示する地図表示手段と、視聴者の操作によって地図の範囲を指定する指定手段と、前記指定手段により指定された地図の範囲内の位置に対応付けて、前記番組情報記憶手段に記憶されている前記番組情報を表示する番組表示手段と、前記番組表示手段により表示される番組情報のうち１つを選択する番組選択手段と、前記番組選択手段で選択された番組情報に対応する番組の選局及び選局予約の何れかを行う手段とを具備することにより、視聴者が興味のある地域に関する番組情報を簡単な操作で一覧表示することができるという効果がある。また、地名によって固定された範囲に制約されず自由な範囲指定を行なうことができるという効果がある。
【００７０】
前記番組情報あｇ、放送データに多重化して送られる番組配列情報（Ｓｅｒｖｉｃｅ  Ｉｎｆｏｒｍａｔｉｏｎ）であることにより、従来のＥＰＧで用いられる汎用の番組情報が利用できる。その結果、新たな形式の番組情報が提供されなくても番組と地理的位置との対応付けが可能となるという効果がある。
【００７１】
更に、地名と地理的位置との対応を記憶するデータを参照する参照手段と、前記番組情報に含まれる文字列から前記地名に該当する文字列を抽出し、当該文字列に対応する地理的位置を前記番組情報に対応する地理的位置として推定する推定手段とを具備することにより、番組情報に地名と地理的位置との対応が記述されていなくても番組と地理的位置との対応付けが可能となるという効果がある。
【００７２】
前記推定手段が、番組情報に含まれる１つの文字列に対して同名の複数の位置が対応づけられた場合に、それぞれの位置と前記番組情報に含まれる他の文字列に対応付けられた位置との関連の高さを求め、関連の高い位置を前記番組情報に対応付ける手段を具備することにより、同名の地名を持つ地域が複数存在する場合に、正しい地域に対応付けられる可能性を高めることができるという効果がある。
【００７３】
地理的位置を特定する情報を含んだ番組情報を取得する手段を具備することにより、番組情報とその地理的位置との対応において誤りのない対応付けがなされるという効果がある。
【００７４】
前記地図表示手段が、表示する番組情報または番組情報を特定する符号を、前記地図上における当該番組情報に対応付けられた地理的位置の近傍に表示することにより、番組に対応づけられた地理的位置が地図上でどこであるかが直感的にわかりやすいという効果がある。
【図面の簡単な説明】
【００７５】
【図１】本発明の第１実施例のハードウェア構成図である。
【図２】第１実施例の機能ブロック図である。
【図３】第１実施例の番組予約フローチャートである。
【図４】ＳＩ情報の例である。
【図５】従来のＥＰＧの画面例である。
【図６】第１実施例によるＥＰＧ画面例である。
【図７】地名辞書のデータ階層構造の例である。
【図８】地名辞書のメモリマップ例である。
【図９】本発明の第３実施例の機能ブロック図である。
【図１０】第３実施例の番組予約フローチャートである。
【図１１】第３実施例によるＥＰＧ画面例である。
【図１２】地名入力画面例である。
【符号の説明】
【００７６】
１：受信機ユニット
２：チューナ
３：リモコン
４：ＤＥＭＵＸ（デマルチプレクサ）
５：ＣＰＵ（中央処理装置）
６：ディスプレイインタフェース
７：プリンタインタフェース
８：メモリ
９：ＨＤＤ（ハードディスクドライブ）
１０：リムーバルメディア
１１：モデム
２１：放送受信部
２２：受信データ解析部
２３：受信データ記憶部
２４：動画・音声復号部
２５：文字・図形描画部
２６：映像・音声信号出力部
２７：地名抽出部
２８：地名辞書部
２９：位置対応部
３０：処理結果記憶部
３１：地図操作部
３２：地図出力部
３３：地名検索部
３４：選局部
３５：選局予約部
１２１：放送受信部
１２２：受信データ解析部
１２３：受信データ記憶部
１２４：動画・音声復号部
１２５：文字・図形描画部
１２６：映像・音声信号出力部
１２７：地名抽出部
１２８：地名辞書部
１２９：位置対応部
１３０：処理結果記憶部
１３１：地名指定操作部
１３３：地名検索部
１３４：選局部
１３５：選局予約部
【図１】
2005130084.tif 000003
【図２】
2005130084.tif 000004
【図３】
2005130084.tif 000005
【図４】
2005130084.tif 000006
【図５】
2005130084.tif 000007
【図６】
2005130084.tif 000008
【図７】
2005130084.tif 000009
【図８】
2005130084.tif 000010
【図９】
2005130084.tif 000011
【図１０】
2005130084.tif 000012
【図１１】
2005130084.tif 000013
【図１２】
2005130084.tif 000014